(57)【要約】【課題】安価かつ簡単な構成で測定対象を測定することができるようにする。【解決手段】金属薄膜フィルタは、光源を有する狭帯域の照明光学系と、複数の画素がアレイ状に配列され、所定の波長域に感度を有する固体撮像素子との間の光路上に設けられ、固体撮像素子で検出される波長よりも短い周期的な微細構造パターンを有しているので、安価かつ簡単な構成で測定対象を測定することができる。本技術は、例えば、測定対象を測定する撮像装置に適用することができる。【選択図】図３
2015012128.tif 000002
【特許請求の範囲】
【請求項１】
光源を有する狭帯域の照明光学系と、
複数の画素がアレイ状に配列され、所定の波長域に感度を有する固体撮像素子と、
前記照明光学系と前記固体撮像素子との間の光路上に設けられ、前記固体撮像素子で検出される波長よりも短い周期的な微細構造パターンを有する金属薄膜フィルタと
を備える撮像装置。
【請求項２】
前記金属薄膜フィルタは、密着又は近接した測定対象の屈折率と、その周囲を充填する媒質の屈折率との差によって透過光スペクトルの分布を波長方向にシフトさせる性質を有しており、
前記透過光スペクトルの分布の波長方向のシフトに応じた透過効率の変化を、前記固体撮像素子における信号強度の変化として検出する信号処理部をさらに備える
請求項１に記載の撮像装置。
【請求項３】
前記金属薄膜フィルタは、金属単体素材又は合金からなる薄膜フィルムであり、その金属薄膜の厚みは、500nm以下となる
請求項２に記載の撮像装置。
【請求項４】
前記金属薄膜フィルタは、その表面に少なくとも１種類以上の周期的な微細構造パターンを有し、前記微細構造パターンの基準となる周期は、可視光線の波長と同程度以下である
請求項３に記載の撮像装置。
【請求項５】
前記金属薄膜フィルタは、前記微細構造パターンとして、直径500nm以下の開口を、ハニカム配列又は直交行列配列としたホールアレイ構造を有する
請求項４に記載の撮像装置。
【請求項６】
前記金属薄膜フィルタは、前記微細構造パターンとして、直径500nm以下のドット状構造を、ハニカム配列又は直交行列配列としたドットアレイ構造を有する
請求項４に記載の撮像装置。
【請求項７】
前記金属薄膜フィルタは、前記微細構造パターンとして、直径500nm以下の開口を、ハニカム配列又は直交行列配列としたホールアレイであって、各々の開口には中心にドット状構造を持った同軸構造である同軸ホール型のアレイ構造を有する
請求項４に記載の撮像装置。
【請求項８】
前記金属薄膜フィルタは、前記微細構造パターンとして、直径500nm以下のドット状の構造を、ハニカム配列又は直交行列配列としたドットアレイであり、各々のドットには中心にドットの直径よりも小さな直径を有する開口を持つリング状構造であるリングアレイ構造を有する
請求項４に記載の撮像装置。
【請求項９】
前記固体撮像素子において、アレイ状に配列された複数の画素は、複数のブロックに分けられ、
前記金属薄膜フィルタにおいて、隣接するブロックに対応する領域では共通の微細構造パターンを有しており、
前記信号処理部は、隣接する各々のブロック内の画素により検出される信号の差分を求めることで、それらの画素間のオフセットを補正する
請求項４に記載の撮像装置。
【請求項１０】
前記光源は、狭帯域の波長で発光する
請求項１に記載の撮像装置。
【請求項１１】
前記光源は、前記固体撮像素子が感度を有する波長帯域のうち、狭帯域の波長域の電磁波を選択的に照射するLED（Light Emitting Diode）光源又はレーザ光源である
請求項１０に記載の撮像装置。
【請求項１２】
前記固体撮像素子は、可視光線又は近赤外線の波長域に感度を有する
請求項１に記載の撮像装置。
【請求項１３】
前記金属薄膜フィルタは、光路上に着脱可能である
請求項１に記載の撮像装置。
【請求項１４】
光源を有する狭帯域の照明光学系と、
複数の画素がアレイ状に配列され、所定の波長域に感度を有する固体撮像素子と、
前記照明光学系と前記固体撮像素子との間の光路上に設けられ、前記固体撮像素子で検出される波長よりも短い周期的な微細構造パターンを有する金属薄膜フィルタと
を備える
撮像装置を搭載した電子機器。
【発明の詳細な説明】
【技術分野】
【０００１】
本技術は、撮像装置及び電子機器に関し、特に、安価かつ簡単な構成で測定対象を測定することができるようにした撮像装置及び電子機器に関する。
【背景技術】
【０００２】
表面プラズモン・ポラリトン（SPP：Surface Plasmon Polariton）を利用したフィルタ（以下、「金属薄膜フィルタ」という）の実用例として、ウィルスやバクテリアの成長のモニタリングや抗体の感受性テストに用いる例が報告されている（例えば、非特許文献１参照）。
【０００３】
このような測定を行うためには、図１に模式的に示すように、光源と分光器との間の光路上に金属薄膜フィルタを配置した構成が用いられる。この構成では、光源からの光を金属薄膜フィルタに照射して、その透過光スペクトルを分光器で測定することで、金属薄膜フィルタに付着した測定対象の測定が行われる。
【０００４】
すなわち、金属薄膜フィルタの表面に固定した抗原や抗体にウィルスやバクテリアが付着するなどして、金属薄膜フィルタの周囲の屈折率が変化すると、透過光スペクトルの分布がシフトすることになる。
【０００５】
図２には、横軸に波長（Wavelength）、縦軸に透過効率（Transmittance Efficiency）をとった場合における金属薄膜フィルタの透過波長プロファイルを示している。波形Ａは、ウィルス等が付着する前の初期状態の透過光スペクトルを示し、波形Ｂ、波形Ｃは、初期状態から所定の時間経過後のウィルス等が付着した後の透過光スペクトルを示している。これらの波形から明らかなように、時間の経過とともに透過光スペクトルのピーク波長が、波長が長くなる方向にシフトすることになる。
【０００６】
従来の測定方法においては、このような透過光スペクトルにおけるピーク波長のシフト量を分光器で測定することで、金属薄膜フィルタの周囲の屈折率の変化量が求められるので、その変化量を用いて、どの程度のウィルスやバクテリアが金属薄膜フィルタ上に存在するかを測定していた。
【先行技術文献】
【非特許文献】
【０００７】
【非特許文献１】Yanik, A. A. et al., Nano Letters 10 (12), 4962-4969 (2010)
【発明の概要】
【発明が解決しようとする課題】
【０００８】
しかしながら、上述した従来の測定方法であると、透過光スペクトルにおけるピーク波長のシフト量を測定するための分光器が必要となる。一般的に分光器を有する装置は高価であり、また大がかりなものとなる。そのため、安価かつ簡単な構成の装置で測定対象を測定できるようにすることが求められていた。
【０００９】
本技術はこのような状況に鑑みてなされたものであり、安価かつ簡単な構成で測定対象を測定することができるようにするものである。
【課題を解決するための手段】
【００１０】
本技術の第１の側面の撮像装置は、光源を有する狭帯域の照明光学系と、複数の画素がアレイ状に配列され、所定の波長域に感度を有する固体撮像素子と、前記照明光学系と前記固体撮像素子との間の光路上に設けられ、前記固体撮像素子で検出される波長よりも短い周期的な微細構造パターンを有する金属薄膜フィルタとを備える。
【００１１】
前記金属薄膜フィルタは、密着又は近接した測定対象の屈折率と、その周囲を充填する媒質の屈折率との差によって透過光スペクトルの分布を波長方向にシフトさせる性質を有しており、前記透過光スペクトルの分布の波長方向のシフトに応じた透過効率の変化を、前記固体撮像素子における信号強度の変化として検出する信号処理部をさらに備える。
【００１２】
前記金属薄膜フィルタは、金属単体素材又は合金からなる薄膜フィルムであり、その金属薄膜の厚みは、500nm以下となる。
【００１３】
前記金属薄膜フィルタは、その表面に少なくとも１種類以上の周期的な微細構造パターンを有し、前記微細構造パターンの基準となる周期は、可視光線の波長と同程度以下である。
【００１４】
前記金属薄膜フィルタは、前記微細構造パターンとして、直径500nm以下の開口を、ハニカム配列又は直交行列配列としたホールアレイ構造を有する。
【００１５】
前記金属薄膜フィルタは、前記微細構造パターンとして、直径500nm以下のドット状構造を、ハニカム配列又は直交行列配列としたドットアレイ構造を有する。
【００１６】
前記金属薄膜フィルタは、前記微細構造パターンとして、直径500nm以下の開口を、ハニカム配列又は直交行列配列としたホールアレイであって、各々の開口には中心にドット状構造を持った同軸構造である同軸ホール型のアレイ構造を有する。
【００１７】
前記金属薄膜フィルタは、前記微細構造パターンとして、直径500nm以下のドット状の構造を、ハニカム配列又は直交行列配列としたドットアレイであり、各々のドットには中心にドットの直径よりも小さな直径を有する開口を持つリング状構造であるリングアレイ構造を有する。
【００１８】
前記固体撮像素子において、アレイ状に配列された複数の画素は、複数のブロックに分けられ、前記金属薄膜フィルタにおいて、隣接するブロックに対応する領域では共通の微細構造パターンを有しており、前記信号処理部は、隣接する各々のブロック内の画素により検出される信号の差分を求めることで、それらの画素間のオフセットを補正する。
【００１９】
前記光源は、狭帯域の波長で発光する。
【００２０】
前記光源は、前記固体撮像素子が感度を有する波長帯域のうち、狭帯域の波長域の電磁波を選択的に照射するLED光源又はレーザ光源である。
【００２１】
前記固体撮像素子は、可視光線又は近赤外線の波長域に感度を有する。
【００２２】
前記金属薄膜フィルタは、光路上に着脱可能である。
【００２３】
本技術の第１の側面の撮像装置においては、光源を有する狭帯域の照明光学系と、複数の画素がアレイ状に配列され、所定の波長域に感度を有する固体撮像素子と、前記照明光学系と前記固体撮像素子との間の光路上に設けられ、前記固体撮像素子で検出される波長よりも短い周期的な微細構造パターンを有する金属薄膜フィルタとが設けられている。
【００２４】
本技術の第２の側面の電子機器は、光源を有する狭帯域の照明光学系と、複数の画素がアレイ状に配列され、所定の波長域に感度を有する固体撮像素子と、前記照明光学系と前記固体撮像素子との間の光路上に設けられ、前記固体撮像素子で検出される波長よりも短い周期的な微細構造パターンを有する金属薄膜フィルタとを備える撮像装置を搭載している。
【００２５】
本技術の第２の側面の電子機器においては、光源を有する狭帯域の照明光学系と、複数の画素がアレイ状に配列され、所定の波長域に感度を有する固体撮像素子と、前記照明光学系と前記固体撮像素子との間の光路上に設けられ、前記固体撮像素子で検出される波長よりも短い周期的な微細構造パターンを有する金属薄膜フィルタとを備える撮像装置が搭載されている。
【発明の効果】
【００２６】
本技術の第１の側面及び第２の側面によれば、安価かつ簡単な構成で測定対象を測定することができる。
【図面の簡単な説明】
【００２７】
【図１】従来の構成を説明する図である。
【図２】従来の測定方法を説明する図である。
【図３】本技術を適用した撮像装置の一実施の形態の構成を示す図である。
【図４】図３の撮像装置による測定対象の測定の原理を説明する図である。
【図５】狭帯域の光源のスペクトルを示す図である。
【図６】金属薄膜フィルタの構造例を示す図である。
【図７】ピーク波長のシフトに応じた透過効率の変化を、信号強度の変化として検出する原理を説明する図である。
【図８】固体撮像素子の受光面における信号強度の変化を説明する図である。
【図９】注目画素Ｐ2,2に対応する領域の透過波長プロファイルを示す図である。
【図１０】注目画素Ｐ6,9に対応する領域の透過波長プロファイルを示す図である。
【図１１】シミュレーションの結果得られた透過波長プロファイルを示す図である。
【図１２】図１１の透過波長プロファイルの一部を拡大した図である。
【図１３】固体撮像素子の受光面と隣接するブロックの領域との関係を示す図である。
【図１４】隣接するブロックの各々の画素で検出される光強度を示す図である。
【図１５】隣接するブロックの各々の画素で検出される光強度を示す図である。
【図１６】ホールアレイ構造を採用した金属薄膜フィルタを示す図である。
【図１７】ドットアレイ構造を採用した金属薄膜フィルタを示す図である。
【図１８】同軸ホール型のアレイ構造を採用した金属薄膜フィルタを示す図である。
【図１９】リングアレイ構造を採用した金属薄膜フィルタを示す図である。
【図２０】本技術を適用した電子機器の一実施の形態の構成を示す図である。
【発明を実施するための形態】
【００２８】
以下、図面を参照しながら本技術の実施の形態について説明する。
【００２９】
＜撮像装置の構成＞
【００３０】
図３は、本技術を適用した撮像装置の一実施の形態の構成を示す図である。
【００３１】
図３の撮像装置１００は、測定対象の測定を行う機能を有している。図３に示すように、撮像装置１００は、光源１１１、金属薄膜フィルタ１１２−１、固体撮像素子１１３、DSP１１４、撮像素子制御部１１５、バス１１６、信号処理部１１７、ストレージ１１８、マイクロプロセッサ１１９、光源制御部１２０、フィルタ制御部１２１、及び、ユーザインターフェイス１２２から構成される。
【００３２】
光源１１１は、レンズやフィルタなどを含む照明光学系の一部として構成される。光源１１１は、例えばLED（Light Emitting Diode）光源やレーザ光源など、狭帯域の波長域の電磁波を選択的に照射することが可能な単色の面光源である。光源１１１から照射された光は、金属薄膜フィルタ１１２−１を透過して固体撮像素子１１３の受光面により受光される。
【００３３】
金属薄膜フィルタ１１２−１は、金（Au），銀（Ag），アルミニウム（Al）などの金属単体素材又は合金からなる薄膜フィルムであり、その金属薄膜の厚みは500nm以下となる。また、金属薄膜フィルタ１１２−１は、その表面に、固体撮像素子１１３で検出される波長よりも短いサブ波長スケールの周期的な微細構造パターンを有している。
【００３４】
なお、図３に示すように、金属薄膜フィルタ１１２−１は、所定の機構により着脱可能であって、金属薄膜フィルタ１１２−１の代わりに、その表面に設けられた微細構造パターンが異なる金属薄膜フィルタ１１２−２乃至１１２−Ｎ（ただし、Ｎは１以上の整数）のいずれかを取り付けて、光源１１１と固体撮像素子１１３との間の光路上に配置されるようにしてもよい。以下の説明においては、金属薄膜フィルタ１１２−１乃至１１２−Ｎを、特に区別する必要がない場合、単に、金属薄膜フィルタ１１２と称する。
【００３５】
固体撮像素子１１３は、例えば、CMOS（Complementary Metal-Oxide Semiconductor）イメージセンサやCCD（Charge Coupled Device）イメージセンサなどの、複数の画素がアレイ状に配列され、可視光線又は近赤外線の波長域に感度を有する２次元の固体撮像素子である。
【００３６】
固体撮像素子１１３は、光源１１１から照射され、金属薄膜フィルタ１１２を透過してきた光を受光し、その入射光量（光強度）に応じた検出信号を出力する。固体撮像素子１１３から出力される検出信号は、DSP１１４及び撮像素子制御部１１５により所定の処理が施された後、バス１１６を介して信号処理部１１７に供給される。
【００３７】
信号処理部１１７は、固体撮像素子１１３からの検出信号に対し、後述する信号強度の変化の検出処理（図７等）や撮影画像のマッピング処理（図８等）等の各種の信号処理を行う。また、信号処理部１１７は、適宜、バス１１６を介してストレージ１１８にアクセスし、各種のデータ等を記録する。
【００３８】
マイクロプロセッサ１１９は、バス１１６を介して、撮像素子制御部１１５、信号処理部１１７、光源制御部１２０、及び、フィルタ制御部１２１等の撮像装置１００の各部の動作を制御する。
【００３９】
光源制御部１２０は、マイクロプロセッサ１１９からの制御に従い、光源１１１を制御する。これにより、LED光源等の光源１１１から、狭帯域の波長域の電磁波が選択的に照射されることになる。
【００４０】
フィルタ制御部１２１は、マイクロプロセッサ１１９からの制御に従い、金属薄膜フィルタ１１２を制御する。これにより、例えば、金属薄膜フィルタ１１２−１の特性を変化させることができる。
【００４１】
ユーザインターフェイス１２２は、ユーザによる指示を受け付ける。マイクロプロセッサ１１９は、ユーザインターフェイス１２２に対する指示に応じて、撮像装置１００の各部の動作を制御する。
【００４２】
撮像装置１００は、以上のように構成される。
【００４３】
＜本技術を適用した測定方法＞
【００４４】
図４は、図３の撮像装置１００による測定対象の測定の原理を説明する図である。
【００４５】
図４に模式的に示すように、金属薄膜フィルタ１１２は、光源１１１と固体撮像素子１１３との間の光路上に設けられる。図中の矢印で示すように、光源１１１から照射された光は、金属薄膜フィルタ１１２を透過して固体撮像素子１１３の受光面により受光される。
【００４６】
ここで、図５に示すように、光源１１１は、固体撮像素子１１３が感度を有する波長帯域のうち、特定の狭帯域の波長域の光を照射する。なお、特定の狭帯域の波長域の光は、その半値幅が数10nm以下となる。
【００４７】
また、図６に示すように、金属薄膜フィルタ１１２は、サブ波長スケールの周期的な微細構造パターンを有している。図６の例では、金属薄膜フィルタ１１２には、固体撮像素子１１３により検出される波長よりも小さい径を有する開口（ホール）が２次元配列状に配置されている。金属薄膜フィルタ１１２は、その構造と金属やその周囲の媒質の物性に起因した特徴的な透過性を持っている。つまり、金属薄膜フィルタ１１２においては、金属表面に微細な周期構造があるので、金属薄膜表面とその周囲の媒質との境界で発生した表面プラズモン・ポラリトンが干渉し、その構造と物性値に特有の透過波長プロファイルを持つことになる。そして、表面プラズモン・ポラリトンの分散関係は、金属と金属表面の極近傍（表面から数100nmの範囲）の媒質の複素屈折率に依存するため、その狭い領域の屈折率変化に高い感度を持っている。
【００４８】
金属薄膜フィルタ１１２は、このような特性を有することから、その周囲極近傍の屈折率が変化すると、その透過光スペクトルの分布が波長方向にシフトし、特定の波長に注目すれば、透過効率が変化することになる。そして、光源１１１から照射される光の明るさが一定であれば、固体撮像素子１１３により検出される信号の強度は、透過効率の変化に比例するので、その信号強度の変化を求めることで、金属薄膜フィルタ１１２の表面に固定した抗原や抗体に、ウィルスやバクテリアが付着したがどうかを測定することができる。
【００４９】
図７には、金属薄膜フィルタ１１２の透過波長プロファイルの例を示しているが、時間の経過とともに、透過光スペクトルのピーク波長が、波長が長くなる方向にシフトすることになるのは、先に述べたとおりである。ここで、図中のＭで示された位置の特定の波長に注目すれば、ピーク波長のシフトに応じて、図中の円で囲まれた時刻t0（初期状態）、時刻t1（例えば１時間経過後）、時刻t2（例えば２時間経過後）における透過効率のように、時間の経過に伴い、透過効率が変化していることが分かる。
【００５０】
そして、固体撮像素子１１３では、この透過効率の変化が、信号強度の変化として検出されることになる。すなわち、金属薄膜フィルタ１１２は、密着又は近接した測定対象の屈折率と、その周囲を充填する媒質の屈折率との差によって透過光スペクトルの分布を波長方向にシフトさせる性質を有しているので、信号処理部１１７は、透過光スペクトルの分布の波長方向のシフトに応じた透過効率の変化を、固体撮像素子１１３における信号強度の変化として検出することになる。
【００５１】
このように、撮像装置１００においては、測定対象の測定に際し、半値幅が数10nm以下となる狭帯域の面光源１１１を用いることで、透過光スペクトルのピーク波長のシフト、すなわち、金属薄膜フィルタ１１２の金属表面の極近傍における屈折率の変化が、固体撮像素子１１３における信号強度の変化として検出される。そのため、撮像装置１００においては、分光器を設けずに、金属薄膜フィルタ１１２の表面に固定した抗原や抗体に、ウィルス等が付着したかどうかを測定することができるので、分光器を設けた装置と比べて、安価かつ簡単な構成で測定対象を測定することができる。
【００５２】
＜撮影画像のマッピング＞
【００５３】
図８は、固体撮像素子１１３の受光面における信号強度の変化を説明する図である。
【００５４】
固体撮像素子１１３には、入射光量に応じた電荷量の電荷を発生する光電変換素子を有する複数の単位画素がアレイ状に配列されている。図８では、説明の都合上、アレイ状に配列されたｉ×ｊ画素（ただし、ｉ，ｊは１以上の整数）のうちの一部の領域である１０×１２画素の領域のみを図示している。また、図８Ａは、時刻t0（初期状態）における各画素の状態、図８Ｂは、時刻t1（例えば１時間経過後）における各画素の状態、図８Ｃは、時刻t2（例えば２時間経過後）における各画素の状態をそれぞれ表している。
【００５５】
また、図８においては、それらの各画素において、入射光量の変化、つまり、金属薄膜フィルタ１１２の金属表面の極近傍における屈折率の変化（透過効率の変化）に応じた信号強度の変化を濃淡で表しており、屈折率の変化が大きくなるほどその色が濃くなっている。すなわち、図８Ａ乃至図８Ｃは、１０×１２画素の領域に対応する金属薄膜フィルタ１１２の一部の領域における、屈折率の経時的な変化を表しているともいえる。
【００５６】
図８Ａに示すように、時刻t0においては、金属薄膜フィルタ１１２にウィルス等が付着していないので、屈折率の変化は起こらず、信号強度の変化は生じていない。その後、図８Ｂに示すように、時刻t1において、左上の領域などの一部の領域に若干の屈折率の変化が起こっているため、それに応じた信号強度の変化が検出される。そして、図８Ｃに示すように、時刻t2においては、広範囲な領域にわたって屈折率の変化が起こっているため、それに応じた信号強度の変化が検出されることになる。
【００５７】
ここで、図８Ａ乃至図８Ｃに示した１０×１２画素の領域のうち、画素Ｐ2,2に注目すれば、この注目画素Ｐ2,2においては、時間の経過とともに画素の色が濃くなっているので、屈折率の変化が大きいことがわかる。図９は、注目画素Ｐ2,2に対応する金属薄膜フィルタ１１２の領域における透過波長プロファイルを示している。図９に示すように、時刻t0では、屈折率の変化が生じていないため、透過効率が高くなるが、時刻t1になると、屈折率の変化が発生し、透過効率が若干低下する。そして、時刻t3になると、かなり大きな屈折率の変化が発生しているため、透過効率の低下が顕著なものとなる。
【００５８】
このように、画素Ｐ2,2においては、時間の経過とともに、対応する金属薄膜フィルタ１１２の領域で屈折率の変化が起こり、それに伴い、透過光スペクトルのピーク波長がシフトし、それに応じて透過効率が低下している。その結果、画素Ｐ2,2では、屈折率の変化が起こっていない領域に対応する他の画素と比べて相対的に暗いレベルの検出信号が得られることになる。
【００５９】
また、図８Ａ乃至図８Ｃに示した１０×１２画素の領域のうち、画素Ｐ6,9に注目すれば、この注目画素Ｐ6,9においては、時間が経過しても画素の色が全く変化していないので、屈折率の変化が起こっていないことがわかる。図１０は、注目画素Ｐ6,9に対応する金属薄膜フィルタ１１２の領域における透過波長プロファイルを示している。図１０に示すように、時刻t0，時刻t1，時刻t2のそれぞれにおいて、屈折率が変化していないため、透過光スペクトルのピーク波長はシフトせず、透過効率はほぼ一定となる。
【００６０】
このように、画素Ｐ6,9においては、時間が経過しても、対応する金属薄膜フィルタ１１２の領域で屈折率の変化が起こっていないため、それに伴う、透過光スペクトルのピーク波長のシフトも発生しないことになる。その結果、透過効率はほとんど変化せず、画素Ｐ6,9では、一定のレベルの検出信号が出力されることになる。
【００６１】
そして、信号処理部１１７では、このような検出信号に応じた撮影画像が得られるので、例えば、所定の時間間隔で得られる複数枚の撮影画像を用いた平滑化や、複数枚の撮影画像の差分をとる処理を行うことで、屈折率が変化した領域に対応する画素から得られる検出信号の信号強度の変化を検出することができる。
【００６２】
なお、図８の例では、１０×１２画素の領域のみを図示しているが、実際には固体撮像素子１１３の画素サイズに相当する空間解像度が得られるので、金属薄膜フィルタ１１２の全領域にわたって２次元画像化をすることが可能である。また、固体撮像素子１１３は、画素サイズが数um程度以下の微細画素をアレイ状に配列しているため、金属薄膜フィルタ１１２に近接する領域の屈折率の変化を高い空間解像度で２次元マッピングすることができる。その結果、高いS/N比（Signal/Noise Ratio）で屈折率の変化を検出することができる。
【００６３】
＜透過効率の変化を確認するためのシミュレーション＞
【００６４】
図１１は、本技術の発明者により行われたシミュレーションの結果得られた金属薄膜フィルタ１１２の透過波長プロファイルを示す図である。このシミュレーションにおいては、金属薄膜フィルタ１１２として、金（Au）からなる薄膜フィルムであって、上述した図６に示したような２次元配列状に配置された開口（ホール）を有する金属薄膜フィルタを用いている。
【００６５】
図１１の透過波長プロファイルには、シミュレーションの結果として、金属薄膜フィルタ１１２において、薄膜フィルムの厚みの周囲の媒質の屈折率ｎが、例えば1.300から1.301に変化した場合に、その透過効率とピーク波長のシフトがどのように変化したかが示されている。この場合、ピーク波長のシフト量が約１nmと微少であるため、ピーク波長の周辺の波形を含む領域Ｅの部分を拡大すると、図１２に示すようになる。すなわち、図１２の拡大図に示すように、特定波長（λ=628nm）に注目すれば、Case A（屈折率ｎ=1.300）からCase B（屈折率ｎ=1.301）に変化した場合、ピーク波長のシフト量は約１nmであるが、透過効率は、3.2％から3.5％に約10％近く変化していることがわかる。
【００６６】
そして、この透過効率の変化が、固体撮像素子１１３における信号強度の変化として検出されることで、例えば、金属薄膜フィルタ１１２の表面に固定した抗原や抗体に、ウィルス等が付着したがどうかなどを測定することができる。
【００６７】
＜画素のブロック化＞
【００６８】
固体撮像素子１１３において、アレイ状に配列された複数の画素を、複数のブロックに分けて、金属薄膜フィルタ１１２においては、隣接するブロックに対応する領域で、共通の微細構造パターンを有するようにして、隣接する各々のブロック内の画素により検出される信号の差分を求めることで、それらの画素間のオフセットを補正することができる。
【００６９】
すなわち、例えば、図１３に示すように、画素アレイ部に配置されたｉ×ｊ画素の一部である１０×１２画素の領域において、画素Ｐ2,2を含むブロックＢ１と、画素Ｐ2,3を含むブロックＢ２とにブロック分けされている場合を想定する。このとき、金属薄膜フィルタ１１２において、ブロックＢ１に対応する領域Ｒ１と、ブロックＢ２に対応する領域Ｒ２とでは、共通の微細構造パターンとして、図１３に示すような２次元配列状に配置された開口（ホール）を有している。
【００７０】
この場合において、時刻t0（初期状態）と、時刻t1（例えば１時間経過後などの一定時間経過後）における、固体撮像素子１１３のブロックＢ１，Ｂ２への入射光量（光強度）を示すと、図１４及び図１５に示すようになる。
【００７１】
時刻t0においては、図１４に示すように、金属薄膜フィルタ１１２における領域Ｒ１と領域Ｒ２には共にウィルス等が付着していないので、ブロックＢ１に分けられた画素Ｐ2,2と、ブロックＢ２に分けられた画素Ｐ2,3とでは同等の光強度が検出される。従って、画素Ｐ2,2で得られる検出信号のレベルと、画素Ｐ2,3で得られる検出信号のレベルは、同等のレベルを持つことになる。つまり、時刻t0における領域Ｒ１に対応するブロックＢ１で得られる検出信号のレベルと、領域Ｒ２に対応するブロックＢ２で得られる検出信号のレベルとの差分は、例えば、下記の式（１）により求めることができる。
【００７２】
Signal Level(t0)＝IR1(t0)−IR2(t0)      ・・・（１）
【００７３】
ただし、式（１）において、IR1(t0)と、IR2(t0)は、ほぼ同じ値となるので、Signal Level（t0）は、例えば略０となる。
【００７４】
その後、時刻t1においては、図１５に示すように、金属薄膜フィルタ１１２における領域Ｒ１にはウィルス等（図中の「Target Object」）が付着しているため、領域Ｒ１の金属表面の極近傍における屈折率の変化が生じることになる。その結果、ブロックＢ１の入射光量が変化して、画素Ｐ2,2で検出される光強度に変化が生じる。他方、金属薄膜フィルタ１１２における領域Ｒ２には引き続き、ウィルス等が付着していないので、領域Ｒ２に対応するブロックＢ２の入射光量は、時刻t0と時刻t1では変化せず、画素Ｐ2,3で検出される光強度は同等となる。つまり、時刻t1における領域Ｒ１に対応するブロックＢ１で得られる検出信号のレベルと、領域Ｒ２に対応するブロックＢ２で得られる検出信号のレベルとの差分は、例えば、下記の式（２）により求めることができる。
【００７５】
Signal Level(t1)＝IR1(t1)−IR2(t1)      ・・・（２）
【００７６】
ただし、式（２）において、IR1(t1)と、IR2(t1)は、ブロックＢ１で得られる検出信号のレベルが変化しているため、Signal Level(t1)は、検出信号のレベルの差に応じた値となる。
【００７７】
このように、時刻t0から時刻t1までの間に、例えば、環境温度の変化や、光源１１１の明るさの変化、その他の諸条件の変化がある場合には、固体撮像素子１１３の受光面の入射光量が変化して、各画素で検出される光強度が変化することになる。このような条件の変化によって、各画素で得られる検出信号にノイズが付加されてしまうことになるが、画素のブロック化を行い、隣接するブロックに対応する領域で、共通の微細構造パターンを有するようにして、隣接する各々のブロック内の画素により検出される信号（透過光成分に対応する信号）の差分を求めることで、双方の画素間のDC（Direct Current）的なオフセットを補正することができる。その結果、光強度の変化のあった画素における信号強度の変化を、高精度に検出することが可能となるので、高いS/N比で屈折率の変化を検出して、撮影画像を取得することができる。
【００７８】
なお、上述した説明では、説明の都合上、各ブロックには１つの画素のみが含まれるとして説明したが、１以上の複数の画素からブロックが構成されるようにしてもよい。
【００７９】
＜金属薄膜フィルタの具体的な構造例＞
【００８０】
金属薄膜フィルタ１１２は、その微細構造パターンにより、特定の電磁波波長で自由電子と光とがカップリングした表面プラズモン・ポラリトンを生ずる。この金属薄膜フィルタ１１２は、紫外線の波長帯にプラズマ周波数を有する導体素材（具体的には、金（Au），銀（Ag），アルミニウム（Al）が好適である）からなる薄膜に、微細加工を施したサブ波長構造体である。また、金属薄膜フィルタ１１２は、導体の物性と、パターン周期、開口径、ドットサイズ、膜厚、構造体の周囲の媒質の物性により決定される共鳴波長を有する。そこで、次に、図１６乃至図１９を参照して、金属薄膜フィルタ１１２の具体的な構造例について説明する。
【００８１】
（ホールアレイ構造）
図１６は、金属薄膜フィルタ１１２の微細構造パターンとして、ホールアレイ構造を採用した場合を示す図である。
【００８２】
図１６に示すように、ホールアレイ構造では、固体撮像素子１１３により検出される波長よりも小さい径を有する開口（ホール）を２次元配列状に配置する。開口の配置は、図１６に示すようなハニカム構造を有する配列（以下、「ハニカム配列」という）とするのが好適であるが、直交行列（正方行列）構造を有する配列（以下、「直交行列配列」という）その他の周期性のある配列であればよい。なお、開口の径Ｄは、可視光線の波長以下であり、例えば500nm以下となる。また、開口の間隔、すなわち、周期構造の基本周期Ｐは、例えば、固体撮像素子１１３により検出される波長の半分程度、具体的には500nm程度以下であるのが好適である。さらに、薄膜フィルムの厚みは、例えば500nm程度以下となる。
【００８３】
（ドットアレイ構造）
図１７は、金属薄膜フィルタ１１２の微細構造パターンとして、ドットアレイ構造を採用した場合を示す図である。
【００８４】
図１７に示すように、ドットアレイ構造では、固体撮像素子１１３により検出される波長よりも小さい径を有するドットを２次元配列状に配置する。ドット配置は、図１７に示すようなハニカム配列に配置するのが好適であるが、直交行列配列その他の周期性のある配列であればよい。なお、ドットの径Ｄは、可視光線の波長以下であり、例えば500nm以下となる。また、ドット間隔、すなわち、周期構造の基本周期Ｐは、例えば500nm程度以下であるのが好適である。さらに、薄膜フィルムの厚みは、例えば500nm程度以下となる。
【００８５】
（同軸ホール型のアレイ構造）
図１８は、金属薄膜フィルタ１１２の微細構造パターンとして、同軸ホール型のアレイ構造を採用した場合を示す図である。
【００８６】
図１８に示すように、同軸ホール型のアレイ構造では、固体撮像素子１１３により検出される波長よりも小さい径を有する開口（ホール）を２次元配列状に配置する。開口の配置は、図１８に示すようなハニカム配列に配置するのが好適であるが、直交行列配列その他の周期性のある配列であればよい。また、２次元配列状に配置された開口の各々には、その中心にドット状の構造が設けられている。なお、開口の径Ｄは、可視光線の波長以下であり、例えば500nm以下となる。また、開口の間隔、すなわち、周期構造の基本周期Ｐは、例えば500nm程度以下であるのが好適である。さらに、薄膜フィルムの厚みは、例えば500nm程度以下となる。
【００８７】
（リングアレイ構造）
図１９は、金属薄膜フィルタ１１２の微細構造パターンとして、リングアレイ構造を採用した場合を示す図である。
【００８８】
図１９に示すように、リングアレイ構造では、固体撮像素子１１３により検出される波長よりも小さい径を有するドットを２次元配列状に配置する。ドット配置は、図１９に示すようなハニカム配列に配置するのが好適であるが、直交行列配列その他の周期性のある配列であればよい。また、２次元配列状に配置された各ドットには、ドットの直径よりも小さな直径を有する開口が設けられている。なお、ドットの径Ｄは、可視光線の波長以下であり、例えば500nm以下となる。また、ドット間隔、すなわち、周期構造の基本周期Ｐは、例えば500nm程度以下であるのが好適である。さらに、薄膜フィルムの厚みは、例えば500nm程度以下となる。
【００８９】
以上、金属薄膜フィルタ１１２の具体的な構造例について説明した。このように、金属薄膜フィルタ１１２は、その表面に少なくとも１種類以上の周期的な微細構造パターンを有しており、その微細構造パターンの基準となる周期は、可視光線の波長と同程度以下となる。また、金属薄膜フィルタ１１２においては、微細構造パターンとして、上述した構造のうち１つだけ用いてもよいし、上述した構造の中から複数の構造を組み合わせて用いてもよい。
【００９０】
＜金属薄膜フィルタの製造方法＞
【００９１】
以下、撮像装置１００における金属薄膜フィルタ１１２の製造方法について概略を述べる。ただし、金属薄膜フィルタ１１２の構造を高精度で実現できるのであれば、下記に記述の製造方法に限定するものではない。
【００９２】
まず、金属薄膜フィルタ１１２を実装するベースとなる平坦な光学的に透明な基板を準備する。可視光線の波長帯域で用いる透明絶縁層の媒質としては、酸化シリコン（SiO2）及び酸化シリコン（SiO2）を主成分とする複合素材を用いるのが好適である。また、その他、フッ化マグネシウム（MgF2）などを用いることができる。さらに、屈折率が大きくなるが、窒化シリコン（Si3N4）、酸化チタン（TiO2）、酸化タンタル（Ta2O5）、酸化ジルコニウム（ZrO2）、酸化ニオブ(Nb2O5)、酸化ハフニウム（HfO2）などの酸化物、窒化物を用いることもできる。
【００９３】
その上に、金属薄膜フィルタ１１２のベースとなる金属薄膜をスパッタリングなどで積層する。金属薄膜にフィルタ機能を作り込む微細構造の作製には、電子ビームリソグラフィ、ＥＵＶ・ＵＶリソグラフィ、干渉露光法、エッチングなどの技術が用いられる。エッチングは、異方性ドライエッチングを用いるのが好ましく、エッチングに用いるガスは四フッ化メタン（CF4）系のエッチングガスが好適である。六フッ化硫黄（SF6）、トリフルオロメタン（CHF3）、二フッ化キセノン（XeF2）なども好適である。なお、その他、電子ビームリソグラフィにより基本構造のナノスタンパを作製して、ナノインプリント技術により構造を転写することもできる。
【００９４】
＜電子機器の構成＞
【００９５】
図２０は、本技術を適用した電子機器の一実施の形態の構成を示す図である。
【００９６】
電子機器３００は、例えば、携帯電話機やスマートフォン、タブレットPCなどの携帯情報機器や携帯通信端末である。図２０に示すように、電子機器３００は、撮像装置１００、制御部３１１、メモリ部３１２、操作部３１３、表示部３１４、無線通信部３１５、及び、音声処理部３１６から構成される。
【００９７】
制御部３１１は、電子機器３００の各部の動作を制御する。メモリ部３１２は、制御部３１１からの制御に従い、各種のデータを保持する。
【００９８】
操作部３１３は、ユーザの操作に応じた操作信号を、制御部３１１に供給する。制御部３１１は、操作部３１３からの操作信号に従い、電子機器３００の各部の動作を制御する。なお、操作部３１３は、物理的なボタンのほか、例えば、タッチパネルを有する表示部３１４の画面上に表示されるGUI（Graphical User Interface）画像であってもよい。
【００９９】
表示部３１４は、液晶ディスプレイ（LCD：Liquid Crystal Display）等の表示デバイスから構成される。表示部３１４は、制御部３１１からの制御に従い、テキストや画像などの各種の情報を表示する。
【０１００】
無線通信部３１５は、制御部３１１からの制御に従い、インターネット等のネットワークを介して所定のサーバとの無線通信を行う。
【０１０１】
音声処理部３１６は、マイクロフォンやスピーカなどの音声通話を行うためのデバイスを有する。音声処理部３１６は、制御部３１１からの制御に従い、音声入力処理又は音声出力処理を行う。
【０１０２】
撮像装置１００は、図３に示した構成を有する。撮像装置１００においては、金属薄膜フィルタ１１２の金属表面の極近傍における屈折率の変化が、固体撮像素子１１３における信号強度の変化として検出され、測定対象が測定される。測定対象の測定結果は、制御部３１１に供給される。例えば、表示部３１４は、制御部３１１からの制御に従い、測定対象の測定結果を表示する。
【０１０３】
電子機器３００は、以上のように構成される。
【０１０４】
以上のように、本技術によれば、測定対象の測定に際し、透過光スペクトルのピーク波長のシフト、すなわち、金属薄膜フィルタ１１２の金属表面の極近傍における屈折率の変化が、固体撮像素子１１３における信号強度の変化として検出されるので、分光器を設けずに、測定対象を測定することができる。
【０１０５】
すなわち、従来の測定方法では、透過光スペクトルのピーク波長のシフト量を検出するための分光器を設ける必要があったが、本技術の測定方法では、狭帯域の波長で発光するLED光源等を光源１１１として、金属薄膜フィルタ１１２の直下に、高密度な２次元の固体撮像素子１１３を配置することで、アレイ状に配列された画素のそれぞれから、画素情報を独立に検出することができるため、透過光スペクトルのピーク波長のシフト量ではなく、特定波長の透過効率の変化、つまりは、信号強度の変化として状態の変化を検出することが可能となる。そのため、本技術の測定方法では、分光器を設ける必要があった従来の測定方法と比べて、安価かつ簡単な構成で測定対象を測定することができる。
【０１０６】
なお、上述した説明では、表面プラズモン・ポラリトンを利用したフィルタを、「金属薄膜フィルタ」と称して説明したが、このフィルタは、「プラズモニックフィルタ」と称されることもある。
【０１０７】
また、本技術の実施の形態は、前述した実施の形態に限定されるものではなく、本技術の要旨を逸脱しない範囲において種々の変更が可能である。
【０１０８】
また、本技術は、以下のような構成をとることができる。
【０１０９】
（１）
光源を有する狭帯域の照明光学系と、
複数の画素がアレイ状に配列され、所定の波長域に感度を有する固体撮像素子と、
前記照明光学系と前記固体撮像素子との間の光路上に設けられ、前記固体撮像素子で検出される波長よりも短い周期的な微細構造パターンを有する金属薄膜フィルタと
を備える撮像装置。
（２）
前記金属薄膜フィルタは、密着又は近接した測定対象の屈折率と、その周囲を充填する媒質の屈折率との差によって透過光スペクトルの分布を波長方向にシフトさせる性質を有しており、
前記透過光スペクトルの分布の波長方向のシフトに応じた透過効率の変化を、前記固体撮像素子における信号強度の変化として検出する信号処理部をさらに備える
（１）に記載の撮像装置。
（３）
前記金属薄膜フィルタは、金属単体素材又は合金からなる薄膜フィルムであり、その金属薄膜の厚みは、500nm以下となる
（１）又は（２）に記載の撮像装置。
（４）
前記金属薄膜フィルタは、その表面に少なくとも１種類以上の周期的な微細構造パターンを有し、前記微細構造パターンの基準となる周期は、可視光線の波長と同程度以下である
（１）乃至（３）のいずれか一項に記載の撮像装置。
（５）
前記金属薄膜フィルタは、前記微細構造パターンとして、直径500nm以下の開口を、ハニカム配列又は直交行列配列としたホールアレイ構造を有する
（４）に記載の撮像装置。
（６）
前記金属薄膜フィルタは、前記微細構造パターンとして、直径500nm以下のドット状構造を、ハニカム配列又は直交行列配列としたドットアレイ構造を有する
（４）に記載の撮像装置。
（７）
前記金属薄膜フィルタは、前記微細構造パターンとして、直径500nm以下の開口を、ハニカム配列又は直交行列配列としたホールアレイであって、各々の開口には中心にドット状構造を持った同軸構造である同軸ホール型のアレイ構造を有する
（４）に記載の撮像装置。
（８）
前記金属薄膜フィルタは、前記微細構造パターンとして、直径500nm以下のドット状の構造を、ハニカム配列又は直交行列配列としたドットアレイであり、各々のドットには中心にドットの直径よりも小さな直径を有する開口を持つリング状構造であるリングアレイ構造を有する
（４）に記載の撮像装置。
（９）
前記固体撮像素子において、アレイ状に配列された複数の画素は、複数のブロックに分けられ、
前記金属薄膜フィルタにおいて、隣接するブロックに対応する領域では共通の微細構造パターンを有しており、
前記信号処理部は、隣接する各々のブロック内の画素により検出される信号の差分を求めることで、それらの画素間のオフセットを補正する
（４）乃至（８）のいずれか一項に記載の撮像装置。
（１０）
前記光源は、狭帯域の波長で発光する
（１）乃至（９）のいずれか一項に記載の撮像装置。
（１１）
前記光源は、前記固体撮像素子が感度を有する波長帯域のうち、狭帯域の波長域の電磁波を選択的に照射するLED（Light Emitting Diode）光源又はレーザ光源である
（１０）に記載の撮像装置。
（１２）
前記固体撮像素子は、可視光線又は近赤外線の波長域に感度を有する
（１）乃至（１１）のいずれか一項に記載の撮像装置。
（１３）
前記金属薄膜フィルタは、光路上に着脱可能である
（１）乃至（１２）のいずれか一項に記載の撮像装置。
（１４）
光源を有する狭帯域の照明光学系と、
複数の画素がアレイ状に配列され、所定の波長域に感度を有する固体撮像素子と、
前記照明光学系と前記固体撮像素子との間の光路上に設けられ、前記固体撮像素子で検出される波長よりも短い周期的な微細構造パターンを有する金属薄膜フィルタと
を備える
撮像装置を搭載した電子機器。
【符号の説明】
【０１１０】
１００  撮像装置，  １１１  光源，  １１２，１１２−１乃至１１２−Ｎ  金属薄膜フィルタ，  １１３  固体撮像素子，  １１４  DSP，  １１５  撮像素子制御部，  １１６  バス，  １１７  信号処理部，  １１８  ストレージ，  １１９  マイクロプロセッサ，  １２０  光源制御部，  １２１  フィルタ制御部，  １２２  ユーザインターフェイス，  ３００  電子機器
【図１】
2015012128.tif 000003
【図２】
2015012128.tif 000004
【図３】
2015012128.tif 000005
【図４】
2015012128.tif 000006
【図５】
2015012128.tif 000007
【図６】
2015012128.tif 000008
【図７】
2015012128.tif 000009
【図８】
2015012128.tif 000010
【図９】
2015012128.tif 000011
【図１０】
2015012128.tif 000012
【図１１】
2015012128.tif 000013
【図１２】
2015012128.tif 000014
【図１３】
2015012128.tif 000015
【図１４】
2015012128.tif 000016
【図１５】
2015012128.tif 000017
【図１６】
2015012128.tif 000018
【図１７】
2015012128.tif 000019
【図１８】
2015012128.tif 000020
【図１９】
2015012128.tif 000021
【図２０】
2015012128.tif 000022